(57)【要約】【課題】  本考案は防災頭巾本体に、寝袋を取り付け、本体内に収納場所を設け内蔵する。【解決手段】本考案は表地と裏地からなる防災頭巾本体１にファスナーにて開閉可能な開口部４を設け、その中に寝袋８と、寝袋を折り畳んで入れるための収納袋７を取り付けた。寝袋を折り畳んで入れた収納袋を、頭巾本体の開口部より頭巾内に収納し、ファスナーを閉めることにより、寝袋内蔵防災頭巾となり、災害時の防寒に役立つ。笛、ライトを取り付け防災頭巾一つにまとめたことにより咄嗟の持ち出しや、緊急時に役立つ。【選択図】図１
0003125572.tif 000002
【実用新案登録請求の範囲】
【請求項１】
表地と裏地を合わせた袋状で防災頭巾を作成し、表側中央の首周りに開閉用のファスナーを付け、開口部を設ける。  そして、この開口部の内側に防寒シート製の寝袋の中央上端を取り付けると共に袋も取り付け、この袋に前記寝袋を折り畳んで入れ収納可能にした。又、前記ファスナーの金具に笛、ライトを取り付けた。
【考案の詳細な説明】
【技術分野】
【０００１】  本考案は表地と裏地とを合わせた袋状で防災頭巾を作り、表側首周りに開口部を設け防寒シート製の寝袋とこれを折り畳んで入れる袋を取り付け、前記開口部より収納可能にする防災頭巾に関するものである。
【背景技術】
【０００２】  従来、この種の物は、素材の違いはあるが防災頭巾としての用途しかなかった。
従来、防災用品として、防災頭巾、防寒シート、笛、ライトとして別々に売られて  いるが緊急時の咄嗟の持ち出しに不便である。
【考案の開示】
【考案が解決しようとする課題】
【０００３】  防災頭巾内に寝袋を内蔵させ、笛、ライトを付け、一つにまとめることによって、咄の時に、頭巾一つを持ち出せばよいようにしようとするものある。
【課題を解決するための手段】
【０００４】  本考案は、寝袋を内蔵する為、表地と裏地とを合わせた袋状で防災頭巾を作り、表側の首周りに、開閉用のファスナーを取り付け開口部を設けた。寝袋は、防災頭巾内に収納するため、かさばらず、軽く、しかも防寒効果の高い防寒シートで作った。前記開口部内側に寝袋の中央上端を取り付けた。同じく、この開口部に上記寝袋を折り畳んで収納する為の袋を設けた。前記ファスナーの金具に笛、ライトを取り付けた。
【考案の効果】
【０００５】  寝袋を折り畳んで、一旦、袋に入れた為、防災頭巾の開口部より内部に入れやすい。
防災頭巾に寝袋が内蔵され、笛、ライトを付け一つにまとめた為、災害時の咄嗟の持ち出しに便利である。
【考案をを実施するための最良の形態】
【０００６】  防災頭巾を表地と裏地とを合わせた袋状で作る。頭頂から首までの頭部分と首から肩までの肩部分に分けて作り、裏地のみを首の部分で縫い合わせる。表地の頭部分と肩部分は首の部分でファスナーを取り付け開閉できる開口部を設ける。ファスナー下側に沿って、リボンを縫いつけ、首の前にて結ぶ部分を残す。寝袋を折り畳んで入れる為の袋を作り、袋の開口部一遍を、ファスナーを開いた開口部内に取り付ける。防寒シートを袋状にし、首部分と前中央を２分の１位開けて、マジックテープで開閉できるようにする。この寝袋の後側中央上端をファスナーを開いた開口部内に取り付ける。ファスナー金具に笛、ライトを取り付ける。
【実施例】
【０００７】  以下、添付図面に従って一実施例を説明する。
１は表地と裏地を合わせて袋状に作った防災頭巾の本体で表側頭部。２は１の裏側頭部で本体を形成する一部。３は上記防災頭巾の肩部で本体を形成する一部。４は表地側首部を両端まで開口させその縁にファスナーを取り付けた開閉可能な開口部。  ５はファスナー金具に取り付けた笛とライト。６は首部ファスナー下側に取り付けた、前で結ぶ為のリボン。７は薄手の布で作り、上部に開口部を設け、一遍を４の開口部入り口に取り付けた寝袋を入れる為の袋。８は防寒シートで作った寝袋で前中央上部半分と首の部分に開口部を設け、前中央打ち合わせ部分に開閉する為のマジックテープを付けた物。寝袋８を折り畳んで、収納袋７に入れ、ファスナーを付けた開口部４より、防災頭巾本体の頭部１内に収納し、ファスナーを閉める。
【産業上の利用可能性】
【０００８】  本考案の一実施例は、上述の如き構成からなるものであるから、寝袋を内蔵しても、従来の防災頭巾と同じように、軽く、かさばらずに、何処においても収納場所をとらない。
【図面の簡単な説明】
【０００９】
【図１】本考案の寝袋内蔵、笛、ライト付き防災頭巾の一実施例を示す側面図である。
【図２】本防災頭巾に内蔵した寝袋入りの収納を本体より引き出した一実施例を示す斜視図である。
【図３】本防災頭巾に内蔵した寝袋を引き出し広げた一実施例を示す正面図である。
【符号の説明】
【００１０】  １  防災頭巾本体表側頭部
２  防災頭巾頭部の裏側で本体の一部
３  防災頭巾肩部で本体の一部
４  ファスナーによる開口部
５  笛、ライト
６  リボン
７  折り畳んだ寝袋を入れる収納袋
８  寝袋
９  寝袋の首部分開口部
１０  寝袋前中央マジックテープ付き打ち合わせ部
【図１】
0003125572.tif 000003
【図２】
0003125572.tif 000004
【図３】
0003125572.tif 000005
【手続補正書】
【提出日】平成18年6月14日(2006.6.14)
【手続補正１】
【補正対象書類名】実用新案登録請求の範囲
【補正対象項目名】全文
【補正方法】変更
【補正の内容】
【実用新案登録請求の範囲】
【請求項１】
寝袋内蔵、笛、ライト付き防災頭巾において
１，表地と裏地を合わせた袋状にて防災頭巾を作り
２，防災頭巾表側中央の首周りにファスナーを取り付けて、開閉する開口部を設け
３，上記開口部の内側に防寒シート製の寝袋の中央上端部を取り付け
４，上記寝袋を畳んで入れる為の袋も同様に取り付け、頭巾内へ収納し
５，前記ファスナーの金具に笛、ライトを取り付ける
以上の構成からなる防災頭巾。
【手続補正２】
【補正対象書類名】明細書
【補正対象項目名】０００６
【補正方法】変更
【補正の内容】
【０００６】防災頭巾を表地と裏地とを合わせた袋状で作る。頭頂から首までの頭部分と首から肩までの肩部分に分けて作り、裏地のみを首の部分で縫い合わせる。表地の頭部分と肩部分は首の部分でファスナーを取り付け開閉できる開口部を設ける。ファスナー下側に沿って、リボンを縫いつけ、首の前にて結ぶ部分を残す。寝袋を折り畳んで入れるための袋を作り、袋の開口部一遍を、ファスナーを開いた開口部内に取り付ける。防寒シートを袋状にし、首部分と前中央を２分の１位開けて、面ファスナーで開閉できるようにする。この寝袋の後側中央上端をファスナーを開いた開口部内に取り付ける。ファスナー金具に笛、ライトを取り付ける。
【手続補正３】
【補正対象書類名】明細書
【補正対象項目名】０００７
【補正方法】変更
【補正の内容】
【０００７】    以下、添付図面に従って一実施例を説明する。
１は表地と裏地を合わせて袋状に作った防災頭巾の本体で表側頭部。２は１の裏側頭部で本体を形成する一部。３は上記防災頭巾の肩部で本体を形成する一部。４は表地側首部を両端まで開口させその縁にファスナーを取り付けた開閉可能な開口部。５はファスナー金具に取り付けた笛とライト。６は首部ファスナー下側に取り付けた、前で結ぶためのリボン。７は薄手の布で作り、上部に開口部を設け、一遍を４の開口部入り口に取り付けた寝袋を入れる為の袋。８は防寒シートで作った寝袋で前中央上部半分と首の部分に開口部を設け、前中央打ち合わせ部分に開閉する為の面ファスナーを付けた物。寝袋８を折り畳んで、収納袋７に入れ、ファスナーを付けた開口部４より、防災頭巾本体の頭部１内に収納し、ファスナーを閉める。
【手続補正４】
【補正対象書類名】明細書
【補正対象項目名】００１０
【補正方法】変更
【補正の内容】
【００１０】  １，防災頭巾本体表側頭部
２，防災頭巾頭部の裏側で本体の一部
３、防災頭巾肩部で本体の一部
４，ファスナーによる開口部
５，笛、ライト
６，リボン
７，折り畳んだ寝袋を入れる収納袋
８，寝袋
９，寝袋の首部分開口部
１０，寝袋前中央面ファスナー付き打ち合わせ部